(57)【要約】【課題】  簡単かつ確実に水平度の調整を行うことができる昇降装置及び昇降式照明装置を提供する。【解決手段】  駆動装置１２及び駆動装置１２で巻き入れ、巻き出しされるワイヤーロープ１３、１３により昇降される昇降部１４を設けた本体ケース１１と；本体ケース１１を支持するための支持部材１７と；本体ケース１１を支持した際、下方に面する本体ケース１１の面に下方から目視可能に設けた水準器１５と；を具備する構成とする。【選択図】        図１
2006269144.tif 000002
【特許請求の範囲】
【請求項１】
駆動装置及び駆動装置で巻き入れ、巻き出しされるワイヤーロープにより昇降される昇降部を設けた本体ケースと；
本体ケースを支持するための支持部材と；
本体ケースを支持した際、下方に面する本体ケースの面に下方から目視可能に設けた水準器と；
を具備することを特徴とする昇降装置。
【請求項２】
前記水準器は、本体ケースに着脱可能に設けたことを特徴とする請求項１に記載の昇降装置。
【請求項３】
請求項１または２に記載の昇降装置を具備することを特徴とする昇降式照明装置。
【発明の詳細な説明】
【技術分野】
【０００１】
本発明は、天井に設置される照明器具等を昇降させるための昇降装置及び昇降式照明装置に関する。
【背景技術】
【０００２】
近年では、各種の店舗、オフィスや多目的ホール等では、より良好な照明効果を発揮させる目的から、吹き抜けのある高天井に照明器具を設置し高所からの照明を行うようになってきている。高天井に設置される照明装置の場合には、ランプ交換等、メンテナンスの面から照明器具を天井から床に下降させるための昇降装置を用いた昇降式照明装置が多用されている。
【０００３】
昇降式照明装置は、高天井に設置した昇降装置に対し、ワイヤーロープの巻き入れ、または巻き出により照明器具を連結した昇降部を出し入れするように構成され、昇降装置が天井に水平でなく傾いて設置された場合には、昇降部が傾いた状態で昇降され、昇降装置の嵌合部に正しく嵌合しなくなる。
【０００４】
このため、照明器具側の電気接点が昇降装置側の電気接点に正しく接触しなくなり、接点の接触不良によるランプの不点や点灯が繰り返へされたり、ランプが点灯したとしても照明器具が傾いた状態となって配光特性がずれ、所期の目的とする配光が得られない問題が生じる。
【０００５】
また、昇降部が傾き嵌合部に引掛かり係合してしまった場合には、昇降部を下降させることができなくなる問題が発生する。
【０００６】
この問題を解決するために、昇降装置に水準器を設け水平に設置しようとするものがあるが、従来の水準器は本体ケース内の配線用の端子盤等に隣接して設けられているのが一般的で、設置の際に本体ケースのカバーを取り外し、側面もしくは下面から水準器を目視しながら本体ケースを傾けて水平度の調整をする必要がある。
【０００７】
このため、カバーを取り外す別途の作業などが必要となって手間がかかると共に、水準器は本体ケース内にあるため、作業者から見難く、特にダウンライト式照明器具の場合には、高所で狭くかつ暗い天井裏等での作業となり、さらに見難くなって一層困難な作業となってしまう。
【０００８】
このために、本体ケースの外側に水準器を設けるものがある（例えば、特許文献１）。
【０００９】
これは、本体ケースの側面に水準器を設け、水平度の調整を容易にしようとするものである
【特許文献１】特開平６−２０３６２３号公報
【発明の開示】
【発明が解決しようとする課題】
【００１０】
しかしながら、特許文献１に示されるものは、水準器が本体の側面に設けられているために、水準器を設けた反対側からは、本体が邪魔となり水準器を見ることができず、作業者がわざわざ目視できる位置まで移動する必要があり、高所におけるクレーン等の移動を伴う面倒な作業となって、作業者の経験、勘を頼りにした作業になりがちで、確実な水平度の調整がなされなくなる恐れがある。
【００１１】
このため、この種の昇降式照明装置においては、如何に簡単でかつ確実に水平度の調整を行うことができるようにするかが重要な課題となっている。
【００１２】
本発明は、上述した問題、課題を解決することを目的とし、簡単かつ確実に水平度の調整を行うことができる昇降装置及び昇降式照明装置を提供しようとするものである。
【課題を解決するための手段】
【００１３】
請求項１に記載の昇降装置の発明は、駆動装置及び駆動装置で巻き入れ、巻き出しされるワイヤーロープにより昇降される昇降部を設けた本体ケースと；本体ケースを支持するための支持部材と；本体ケースを支持した際、下方に面する本体ケースの面に下方から目視可能に設けた水準器と； を具備することを特徴とする。
【００１４】
本発明によれば、本体ケースを支持した際、下方に面する本体ケースの面に下方から目視可能に設けた水準器により、簡単かつ確実に水平度の調整を行うことができる昇降装置が構成される。
【００１５】
本発明において、「本体ケースを支持した際、下方に面する本体ケースの面」は、例えば、本体ケースの上面を支持した場合には、上面と相対向する本体ケースの下面であることが好ましいが、ここでは本体ケースの下面であることには限定されない。
【００１６】
例えば、設置する前の状態では本体ケースの側面として位置づけられる面であるが、本体ケースを支持した際、その側面が下方に面する面となれば、その面が本発明における「下方に面する本体ケースの面」として許容される。
【００１７】
昇降装置は、オートストップ式でも任意高さ設定方式でもよく、ワイヤーロープを巻き入れ、巻き出しする駆動装置は、駆動源を電気モーターとして構成することが好ましいが、例えば、駆動源を手動となした駆動装置であってもよい。
【００１８】
水準器は、錘を垂下したもの、水泡式水準器等、下方から目視できるものであればよく、その方式、構成は特に限定されない。
【００１９】
水準器は、設置された昇降装置専用のものであっても、また水準器を本体に対し着脱可能に設け、水平度の調整を完了した昇降装置から水準器を取り外して、これから設置する他の昇降装置に取付けることにより、１個の水準器により他の昇降装置の調整にも使用することができるようにしてもよい。
【００２０】
請求項２に記載の発明は、請求項１に記載の昇降装置において、前記水準器は、本体ケースに着脱可能に設けたことを特徴とする。
【００２１】
本発明によれば、１個の水準器により他の昇降装置の調整にも使用することが可能となり、昇降装置自体には専用の水準器を組み込む必要がない昇降装置が構成される。
【００２２】
請求項３に記載の昇降式照明装置の発明は、請求項１または２に記載の昇降装置を具備することを特徴とする。
【発明の効果】
【００２３】
請求項１の発明によれば、本体ケースを支持した際、下方に面する本体ケースの面に下方から目視可能に設けた水準器により、簡単かつ確実に水平度の調整を行うことができる昇降装置を提供することができる。
【００２４】
請求項２の発明によれば、簡単かつ確実に水平度の調整を行うことができると共に、水準器を本体ケースに着脱可能に設けたので、１個の水準器により他の昇降装置の調整にも使用することが可能となり、昇降装置自体には専用の水準器を組み込む必要がなく装置のコストを抑えることが可能な昇降装置を提供することができる。
【００２５】
請求項３の発明によれば、簡単かつ確実に水平度の調整を行うことができる昇降式照明装置を提供することができる。
【発明を実施するための最良の形態】
【００２６】
以下、本発明の昇降装置及び昇降式照明装置の実施形態につき説明する。
【実施例１】
【００２７】
１０は本発明の昇降装置を構成するオートストップ式電動昇降装置で、本体ケース１１、本体ケース内に収納される駆動装置１２、駆動装置で巻き入れ、巻き出しされるワイヤーロープ１３、ワイヤーロープにより昇降される昇降部１４及び本体ケースの下面に設けた水準器１５で構成する。
【００２８】
本体ケース１１は、下面を開放した箱状のケース部材１１ａと、ケース部材の下面開放部分を閉塞するカバー部材１１ｂにより構成する。
【００２９】
箱状のケース部材１１ａの前面側に開放部を形成し、この開放部に蓋１１ｃを開閉可能に設ける。
【００３０】
カバー部材１１ｂは板状に形成し、本体ケースの下面部分を構成する。
【００３１】
これらケース部材１１ａとカバー部材１１ｂからなる本体ケース１１は、鉄、ステンレスやアルミニウム等の金属か樹脂などで構成する。
【００３２】
箱状をなすケース部材１１ａには、内部の中心部分に昇降部が嵌合する下面開放の円筒状をなす嵌合部１６を形成する。
【００３３】
嵌合部１６の内底面には電源線に接続される本体側の一対の電気接点１６ａを露出させて設ける。
【００３４】
さらに嵌合部１６の内側面には、図示しないが昇降部１４をロックするための落下防止機構、自動停止装置等を設置する。
【００３５】
ケース部材１１ａ内で、嵌合部１６に隣接する側方部分には、本発明の駆動装置１２を構成する直流式のモーター１２ａ、ワイヤードラム１２ｂ及びリール１２ｃを設置し、モーター１２ａの正逆回転によりドラム１２ｂ、リール１２ｃを介してワイヤーロープ１３の巻き入れ、巻き出しを行うように構成する。
【００３６】
ワイヤーロープ１３は、ステンレス製のワイヤーで構成し、下端部に昇降部１４を連結する。
【００３７】
昇降部１４は、円筒状をなす嵌合部１６に合致して嵌合するようにやや扁平の下面開放の円筒状をなす形状に構成し、その上面に一対の昇降側電気接点１４ａを露出させて設け、昇降部１４が嵌合部１６に嵌合したときに本体側電気接点１６ａと電気的に接続できるように構成する。
【００３８】
昇降部１４は、嵌合部１６に嵌合した際に、落下防止機構でロックされ、また自動停止装置により自動的に停止する。
【００３９】
昇降部１４の下面には、昇降させる器具、本実施形態では照明器具２０を取付け、照明器具のランプ２０ａには、昇降側電気接点１４ａ及び本体側電気接点１６ａが接続されることにより電力が供給される。
【００４０】
昇降部１４も本体ケース１１と同様に鉄、ステンレスやアルミニウム等の金属か樹脂で構成する。
【００４１】
ケース本体１１の板状をなすカバー部材１１ｂは、嵌合部１６に対応して円形の透孔１１ｃを形成すると共に、水準器１５を取付けるための取付孔１１ｄを貫通して形成する。
【００４２】
カバー部材１１ｂは、４本の取付ねじ１１ｅをケース部材１１ａの４隅の角部に取付けて、ケース部材１１ａの下面の開放部分を閉塞すると共に、取付ねじ１１ｅを外すことによりケース部材１１ａから取り外して下面の開放部分を開き、装置内部のモーター等部品の修理、点検等を行うことができるようにする。
【００４３】
１５は水準器で、本体ケース１１下面に位置するカバー部材１１ｂの取付孔１１ｄに取付ける。
【００４４】
水準器１５は、図２（ａ）に示すように下方が開放し内部が空洞の透明ケース１５ａと、透明ケースの下方開放部に、透明ケースの軸線ｘ−ｘに対して直角になるように水平方向に一体に形成した鍔状の枠１５ｂと、透明ケースの上面から空洞内に吊り下げられたチェーン１５ｃにより垂下させた錘１５ｄで構成する。
【００４５】
鍔状の枠１５ｂに円形のゲージ孔１５ｅを形成し、錘１５ｄはチェーン１５ｃを介して、このゲージ孔１５ｅから下方に貫通させて垂下させる。
【００４６】
図２（ｂ）に示すように、円形のゲージ孔１５ｅの外表面に直交する目盛り１５ｆを形成し、目盛りが交差する中心点ａに錘１５ｄの中心点が位置しているか否かによって、水準器としての水平判断を行うように構成する。
【００４７】
透明ケース１５ａは、透明な合成樹脂またはガラス等で構成し、チェーン１５ｃ及び錘１５ｄは金属で構成する。
【００４８】
上記に構成した水準器１５は、カバー部材１１ｂの取付孔１１ｄに透明ケース１５ａを下方から差し込み、鍔状の枠１５ｂを取付孔１１ｄ周囲の盤面に合致させて取付ける。
【００４９】
透明ケース１５ａに直角に形成した鍔状の枠１５ｂが、取付孔１１ｄ周囲の盤面に合致することによって、水準器１５の軸線ｘ−ｘが本体ケース１１の下面をなすカバー部材１１ｂに対し垂直に位置して支持される。
【００５０】
水準器１５は、カバー部材１１ｂの取付孔１１ｄに透明ケース１５ａ差し込んだ状態で、板ばね材からなる取付金具１５ｇの係合片１５ｈを、透明ケースの外面に摩擦係合させることにより支持固定する。
【００５１】
図中１７は、本発明の支持部材を構成する取付アームで、本体ケース１１と同様に鉄、ステンレスやアルミニウム等の金属か樹脂で、略Ｕ字形状をなす形状に形成し、アームを構成する両側端部をケース部材１１ａの両側面に、２本の六角ボルト１７ａによってそれぞれ支持し、六角ボルト１７ａを中心として本体ケース１１に対し回動できるように構成する。
【００５２】
Ｕ字形状をなす取付アーム１７の水平部分に、アームを支持ボルト等で天井に固定するための貫通する支持孔１７ｂを２個形成する。
【００５３】
１８は送り配線が可能な操作用端子台やランプ用端子台等からなる端子台で、ケース部材１１ａ内に前面側の開放部に対向して設置し、蓋１１ｃを開放することにより外部から端子台１８に対し、所定の電気配線が行えるようする。
【００５４】
上記に構成した昇降装置１０の昇降部１４に照明器具２０を連結して、昇降式照明装置３０を構成する。
【００５５】
照明器具２０は、放電灯からなるランプ２０ａ、ランプを装着するソケット２０ｂ及びランプを内包する反射体２０ｃで構成する。
【００５６】
ランプを装着するソケット２０ｂの両端子は、昇降部１４の昇降側電気接点１４ａにリード線１４ｂを介して接続する。
【００５７】
次に、上記のように構成した昇降装置１０及び昇降式照明装置３０を、多目的ホール等の吹き抜けのある高天井に設置するための施工の手順を図３に従い説明する。
【００５８】
まず、作業者はクレーン等で照明器具を設置する天井４０の付近まで上り、昇降装置１０を持ち上げ、取付アーム１７の支持孔１７ｂを、天板下地材やスラブにあらかじめ取付けられた２本の支持ボルト４１に挿通し、ナット４２をねじ込むことにより本体ケース１１を天井４０に固定する（図３（ａ））。
【００５９】
次に、本体ケース１１を下から覗いて水準器１５を目視し、枠１５ｂの円形のゲージ孔１５ｅと錘１５ｄの位置関係を確認する。
【００６０】
円形のゲージ孔１５ｅの交差する目盛り１５ｆの中心点ａに錘１５ｄの中心点が位置していれば、本体ケース１１が天井４０に水平に支持されている。
【００６１】
円形のゲージ孔１５ｅの交差する目盛り１５ｆの中心点ａと錘１５ｄの中心点がずれている場合には、本体ケース１１が水平に支持されていない。
【００６２】
この場合、図３（ａ）に示すａ−ａ方向の水平度は、２本の支持ボルト４１にねじ込んだ２個のナット４２を回転させ、本体ケース１１のａ−ａ方向の向きを変えて円形のゲージ孔１５ｅの交差する目盛り１５ｆの中心点ａに錘１５ｄの中心点が位置するように調整する。
【００６３】
また、図３（ｂ）に示すｂ−ｂ方向の水平度は、取付アーム１７の六角ボルト１７ａを中心として本体ケース１１を回動させ本体ケースのｂ−ｂ方向の向きを変えて円形のゲージ孔１５ｅの交差する目盛り１５ｆの中心点ａに錘１５ｄの中心点が位置するように調整する。この調整は、±２度の角度以内になるように調整する。
【００６４】
この際、水準器１５は本体ケース１１の下面に位置して設けられているので、天井付近に上がった作業者が、極自然に楽に下方から水準器１５を目視することができ、わざわざクレーンにより目視するための位置を移動させる必要がなく、調整作業が簡単かつ迅速に行うことができ、高所で狭い天井裏等での作業がより一層楽になる。同時に昇降装置１０の水平度の調整を簡単かつ確実に行うことができる。
【００６５】
次に、作業者は、本体ケース１１の蓋１１ｃを開放して端子台１８に所定の電気配線作業を行って床に降りる。
【００６６】
次に、図３（ｃ）に示すように、昇降装置１０に電源を投入し、モーター１２ａを駆動してワイヤーロープ１３を巻き出して繰り出し、昇降部１４を床面４３に降ろす。
【００６７】
降ろした昇降部１４に、あらかじめ床面に用意した照明器具２０と所定の電気配線を行った後に、ねじ等で連結して照明器具２０と昇降部１４を一体化する。
【００６８】
次に、図３（ｄ）に示すように、モーター１２ａを逆転して駆動しワイヤーロープ１３を巻き上げて昇降部１４と共に照明器具２０を上昇させ、昇降部１４を本体ケース１１の嵌合部１６内に収納する。この際、昇降部１４は自動停止装置によって嵌合した所定の位置に自動的に停止する。
【００６９】
これにより昇降部１４の昇降側電気接点１４ａと、嵌合部１６の本体側電気接点１６ａが接続される。
【００７０】
また、昇降部１４はロック機構により嵌合部１６内に確実にロックされ、照明器具２０は天井４０に上昇設置したまま確実に固定して支持される。
【００７１】
これにより、昇降装置１０にあらかじめ配線された電源線に照明器具２０のソケット部２０ｂが接続され、ランプ２０ａに電力が供給される状態となり、照明器具２０がその反射体２０ｃ及びランプ２０ａを下方に向け、下方床面を照明するようにセットされて、施工作業が完了する。
【００７２】
この際、昇降装置１０は水準器１５により水平に支持されており、昇降部１４が本体ケース１１の嵌合部１６に正しく嵌合される。
【００７３】
このため、照明器具側の電気接点１４ａと本体側の電気接点１６ａが正しく確実に接触するため、従来のようにランプ２０ａが点灯しなくなったり、照明器具２０が傾いて配光がずれてしまうことがない。
【００７４】
上記のように設置された昇降式照明装置において、ランプ交換や、照明器具の修理、点検を行う場合は、壁面等に配線設置された昇降用スイッチの「下降」ボタンを押し、昇降装置１０を駆動してワイヤーロープ１３、１３を巻き戻して繰り出し照明器具２０を床面４３に降ろしてランプ交換等を行う。
【００７５】
下降の際、昇降部１４が本体ケース１１の嵌合部１６に係合してしまうこともなく、スムーズに下降させることができる。
【００７６】
ランプ交換等が終了したら、昇降用スイッチの「上昇」ボタンを押し、昇降装置１０のワイヤーロープ１３、１３を巻き上げればよい。
【００７７】
本実施形態において、昇降装置１０を傾斜した天井に取付ける場合には、図４に示すように、取付アーム１７を傾斜した天板下地材やスラブ４０に固定し、六角ボルト１７ａを中心として本体ケース１１を回動させて水平状態に位置させ、その後、上記と同様に水準器１５によって水平度を正確に調整する。この場合、傾斜した天井４０と本体ケース１１の上面部がなす角度ａは、０〜４５度の角度が好ましい。
【００７８】
水平をなす天井の場合には、直付け型に構成してもよい。
【００７９】
すなわち、図５に示すように、本体ケース１１の両側面にＬ字形の支持金具４５を取付け、支持金具４５に支持ボルト４１、４１を挿通して、支持金具４５を天井４０に当接し、支持ボルトにナット４２、４２を締め付けて固定する。その後、上記と同様に水準器により水平度を正確に調整する。
【００８０】
本実施形態において、水準器１５は、板ばね材からなる取付金具１５ｇの係合片１５ｈを、透明ケース１５ａの外面に摩擦係合させることによりカバー部材１１ｂに支持固定したが、カバー部材に対し着脱ができるように支持してもよい。
【００８１】
すなわち、図６に示すように、水準器１５の透明ケース１５ａの下端に雄ねじ部１５ｉを形成し、カバー部材１１ｂの取付孔１１ｄには雌ねじ部１１ｆを有する合成樹脂製の取付リング１１ｇを嵌め込む。
【００８２】
この取付リング１１ｇに透明ケース１５ａを下方から挿入し、下端の雄ねじ部１５ｉをねじ込み支持する。
【００８３】
水準器１５を取り外す場合には、透明ケース１５ａを逆に回転して取付リング１１ｇの雌ねじ部１１ｆから取り外す。
【００８４】
このように、水準器１５を本体ケース１１に対して着脱自在に支持することにより、水平度の調整作業を完了した昇降装置から水準器を取り外し、これから設置する他の昇降装置に取付け、１個の水準器により他の昇降装置の水平調整も行うことができる。
【００８５】
本実施形態の昇降装置では、昇降部に照明器具を連結して昇降式照明装置を構成したが、照明器具以外の天井等に取付ける器具、部品、例えば、装飾用のミラーボール等を昇降部に連結して各種用途に応じた昇降装置として構成してもよい。
【００８６】
昇降させる器具、部品等が軽量、小型で、天井が低い場合には、駆動源として電動モーターを使用せずに、手動でワイヤードラム、リール等からなる駆動装置を動かすようにしてもよい。
【００８７】
本体ケース１１、取付アーム１７及び昇降部１４を鉄、ステンレスやアルミニウム等の金属で構成したが、重量の軽い小型の照明器具等を昇降するような場合には、合成樹脂で構成してもよい。
【００８８】
本実施形態では、天井吊り下げ形の昇降式照明装置に適用したが、照明器具を天井に埋め込むダウンライト形の昇降式照明装置に適用してもよい。
【００８９】
本実施形態によれば、水準器１５は本体ケース１１の下面に位置して設けられているので、調整作業が簡単かつ迅速に行うことができ、高所で狭い天井裏等での作業がより一層楽になり、同時に昇降装置１０の水平度の調整を簡単かつ確実に行うことができる。
【００９０】
昇降装置１０は水準器１５により確実に水平に支持させることができ、昇降部１４が本体ケース１１の嵌合部１６に正しく嵌合され、照明器具側の電気接点１４ａと本体側の電気接点１６ａが正しく確実に接触するため、従来のようにランプ２０ａが点灯しなくなったり、照明器具２０が傾いて配光がずれてしまうことがない。
【００９１】
さらに、照明器具の修理、点検を行う場合に昇降装置１０を下降させても昇降部１４が本体ケース１１の嵌合部１６に係合してしまうこともなく、スムーズに下降させることができる。
【００９２】
水準器１５は、カバー部材１１ｂの取付孔１１ｄに下方から単に挿入し、取付金具１５ｇや取付リング１１ｇによる簡単な構成で支持固定した。
【００９３】
このため、昇降装置のカバー部材として合成樹脂製カバー部材や金属製カバー部材等が混在する中で、これら各種のカバー部材に対しても水準器が簡単に取付けることができ、汎用性を有する水準器の取付構成が提供できる。
【００９４】
以上、本発明の好適な実施形態を説明したが、本発明は上述の実施形態に限定されることなく、本発明の要旨を逸脱しない範囲内において、種々の設計変更を行うことができる。
【図面の簡単な説明】
【００９５】
【図１】本発明の実施形態における昇降装置及び昇降式照明装置を、一部を切り欠いて示す斜視図。
【図２】同じく昇降装置に取付けられた水準器を示し、（ａ）は一部を断面した正面図、（ｂ）は底面図。
【図３】同じく昇降装置及び昇降式照明装置を天井に設置する施工の手順を示す図で、（ａ）は昇降装置を天井に設置した状態を正面から見た図、（ｂ）は（ａ）と同様に昇降装置を天井に設置した状態を側面から見た図、（ｃ）は昇降部を床に下降させて照明器具を連結した状態を示す図、（ｄ）は昇降部を上昇させて照明器具を天井に設置した状態を示す図。
【図４】同じく昇降装置を傾斜した天井に取付けた状態を示す図。
【図５】同じく昇降装置の変形例を示し、天井に直付けして取付けた状態を示す図。
【図６】同じく水準器の変形例を示す一部を断面した正面図。
【符号の説明】
【００９６】
１０  昇降装置
１１  本体ケース
１２  駆動装置
１３  ワイヤーロープ
１４  昇降部
１５  水準器
１７  支持部材
２０  照明器具
３０  昇降式照明装置
【図１】
2006269144.tif 000003
【図２】
2006269144.tif 000004
【図３】
2006269144.tif 000005
【図４】
2006269144.tif 000006
【図５】
2006269144.tif 000007
【図６】
2006269144.tif 000008